(57)【要約】【課題】身体の一部が欠損した遺体を棺桶に入れ、葬儀を行う際、遺体を葬儀参列者に見せるのは、遺族感情として耐えがたいものが有る。生前は、義手や義足で補っていたものが、亡くなった途端に取り外されてしまうのは、到底、遺族や近親者に納得できる事では無い。しかし、義手や義足の素材は、燃焼によって有毒ガスが発生したり、溶けて骨に付着するなどの問題が発生する為、火葬する事ができず、結局、遺体を棺桶に入れる際、装具を取り外さなければならなかった。そこで、葬儀の際、遺族感情を癒し、そのまま火葬する事が可能な、義手や義足など、身体の一部を補う装具が求められている。【解決手段】葬儀の際、参列者の目から見て、遺体の一部が欠損している事が判り難く、そのまま火葬する事が可能な装具を提供する。つまり、義手や義足としての強度は不要で、見た目を重視し、火葬可能な素材で作った装具を作り、棺桶の中の、所定の位置に設置する事で課題を解決する。また、火葬可能な装具の存在を広く周知徹底し、必要な人に確実に供給する為のビジネスモデルも提案する。【選択図】なし【特許請求の範囲】
【請求項１】
義手、義足など、欠損した身体の一部を補う装具において、装着者が亡くなった後に葬儀を行い、そのまま火葬することが可能で、欠損した身体の一部に近似させた、火葬用の装具であり、次の特徴を有する。１、材質は、火葬時にほぼ完全に燃え尽きる、木材・バルサ・紙・ダンボール・紙粘土・布・石膏及び、全国の火葬場で火葬を許可している材料の、いずれか、又はいずれかの組み合わせとする。尚、火葬塲が火葬を許可している材料は、全国の火葬場のウェブサイトで公開されている。２、着色に使用する塗料は、主として植物から取った染料、又は自然界に存在する色素を主成分とし、シンナーを代表とする揮発油や、燃焼によって有毒ガスを発生させる合成樹脂原料は含まない。３、義手の場合は、指を揃えた形状、又はもう一方の健常な手と組合せ可能な形状とする、又は、発注者から指定された形状とする。４、事故などにより、死亡時に身体の一部を失った場合や、臓器提供で身体の一部を失った場合は、残っている健常な部分から推測する、又は型を取る方法で製作する。５、身体の失った部分を全て作るのでは無く、棺桶に遺体を入れる際、着衣から露出する部分及びその周辺だけを作る場合も含む。６、装具の一部に、１個、又は複数の貫通孔を設け、紐などを使って固定可能にする。
【請求項２】
以下のいずれかの方法で作成した事を特徴とする、請求項１に記載の、火葬用の装具。１、亡くなった方が実際に使用していた装具を使用し、樹脂、又は石膏、又は粘土、又は紙、又は樹脂を浸み込ませた布で雌型を作り、この雌型を使用して装具を作る。２、亡くなった方の、健常な方の手や足を使用し、樹脂、又は石膏、又は粘土、又は紙、又は樹脂を浸み込ませた布や紙で雌型を作り、この型を左右反転し、装具を作る。３、標準的な形状の手や足の形状で、複数のサイズの装具を事前に用意しておき、亡くなった方が実際に使用していた装具、又は健常な手や足のカラー写真を使用し、装具の選定と着色を行う。４、手足の場合、甲側と、その反対側とを別々に作り、貼り合わせて製作する。５、作成した火葬用の装具に、写真を貼り付ける、又は写真から転写したフィルムを貼り付ける、又はフィルムを水圧転写する。
【請求項３】
遺族、故人の知人、又は葬儀社から、以下のいずれか１つ、又は複数の情報を収集し、その情報に基づいて作成された事を特徴とする、請求項１及び２に記載の、火葬用の装具。１、複数の手足形状・指の形、手の組み方を表示したカタログを、事前に葬儀社に提示する、又はウェブサイトで公開し、その中から最も近似したものを選定する。２、目盛り付きのものさし、又はゲージと、実際に使用した装具、又は健常な手足などを並べて撮影し、その写真を使用する。３、色見本版を事前に提示、又は配付し、亡くなった方の肌の色に最も近似した色見本版の番号、又は記号を選定する。４、ものさし、メジャー、又は専用のゲージで、作成者が指定した部分の寸法を測定した数値。５、年齢と性別。６、国籍。７、身長と体重。８、胸囲、胴囲、腰囲。９、マニキュアやペディキュアの有無と、その色。１０、通常着用している、靴のサイズ。１１、義手の場合、胸の近傍で両手を組むなど、御遺体の状態。
【請求項４】
請求項１から３に記載の、火葬用の装具を使用して行う、以下のビジネスモデル。１、通常の義手や義足は火葬できない為、遺体を棺桶に入れる際、取り外す必要が有る。しかし、葬儀の際、身体の一部が欠損した遺体を参列者に見せるのは、遺族の心情として耐え難いものがある。そこで、健常な手足などに近似させた、火葬可能な装具を提供するビジネスを行う。２、このビジネスモデルを行うサービス会社は、事前に、上記ビジネスに関するパンフレットや案内状や説明書を、各葬儀社に配付して告知する。また、インターネットのウェブサイトを利用して、業務内容・サービス内容を公開する。３、サービス会社は、遺族、又は故人の知人、又は故人の親類縁者、又は葬儀社から注文を受ける。４、注文は、所定の書類への記入、または所定の書式に記入し、インターネット、又は電子メール、又はＦＡＸ、又は電話で、請求項３に記載の情報をサービス会社に伝える。５、契約は、上記情報を提供した時点で成立する、または、情報入手後に打合せや見積りを行い、別途、売買契約、又は業務請負契約を成立させる。６、受注後、サービス会社は、遺族等の要望事項に可能な限り近似した形状・サイズ・色の装具を作成し、宅配便、又は自社便で、指定された住所へ届ける。７、昼間に受けた注文は、当日中に作成して発送し、可能な限り、翌日の午前中に所定の住所に届く様に努める。即ち、お通夜の日に受注すれば、翌日の葬儀に間に合わせる。８、注文主は、装具を受領後、所定の方法で代金を支払う。所定の方法とは、銀行振込み・口座振替え・クレジットカード・現金書留であり、注文時、又は契約時に取り決める。９、実際に使用していた義手や義足などの装具を、納めて保管する為の容器を作成し、販売する業務も含む。１０、実際に使用している、又は使用していた装具の、補修・調整・化粧直しを行う業務も含む。
【発明の詳細な説明】
【技術分野】
【０００１】本発明は、主として遺体を火葬する際、装着したまま火葬できる義手・義足などの装具に関するものであり、葬儀の際、身体の一部が欠損した遺体を葬儀参列者にさらす事を避け、遺族感情を癒す目的で使用する為の、装飾用装具に関する。
【背景技術】
【０００２】義手や義足など、欠損した身体の一部を補う装具は、強度を確保する為、金属を使用し、また、肉や皮膚の代わりに合成樹詣が使用される。その為、火葬する事ができない。この事実は、全国の火葬場のウェブサイトに、義手や義足は火葬できないので、取り外す必要があると明記されている事で、証明されている。
【発明の開示】
【発明が解決しようとする課題】
【０００３】身体の一部が欠損した遺体を棺桶に入れ、葬儀を行う際、遺体を葬儀参列者に見せるのは、遺族感情として耐えがたいものが有る。生前は、義手や義足で補っていたものが、亡くなった途端に取り外されてしまうのは、到底、遺族や近親者に納得できる事では無い。しかし、義手や義足の素材は、燃焼によって有毒ガスが発生したり、溶けて骨に付着するなどの問題が発生する為、火葬する事ができず、結局、遺体を棺桶に入れる際、装具を取り外さなければならなかった。そこで、葬儀の際、遺族感情を癒し、そのまま火葬する事が可能な、義手や義足など、身体の一部を補う装具が求められている。
【課題を解決するための手段】
【０００４】葬儀の際、参列者の目から見て、遺体の一部が欠損している事が判り難く、そのまま火葬する事が可能な装具を提供する。つまり、義手や義足としての強度は不要で、見た目を重視し、火葬可能な素材で作った装具とし、棺桶の中また、火葬可能な装具の存在を広く周知徹底し、必要な人に確実に供給する為のビジネスモデルも提案する。
【発明の効果】
【０００５】本発明によれば、葬儀の際、欠損した遺体の一部を補う事が可能で、遺族感情を害する事も防げる。また、新たなビジネスを構築する事により、本発明が広く周知され、需要に応じた供給を確保する事ができる。
【発明を実施するための最良の形態】
【０００６】燃焼によって有毒ガスが発生せず、溶解して骨に付着するなどの不具合が起こらない材質、又は、火葬場が一般的に棺桶に入れる事を許可している材質を使用し、外観を可能な限り身体に近似させた装具を製作する。また、需要に応じて製作・販売するビジネスを構築し、火葬可能な装具の存在を広く周知すると共に、注文を受けて製造販売する。
【実施例】
【０００７】本発明の課題を解決する為には、請求項１に記載された通り、火葬できる装具を作る。この発明により、葬儀の際、欠損した身体の一部を補い、そのまま火葬できるので、遺族感情を害する事が大幅に軽減される。また、元々、義手や義足を使用していなかった健常者が、事故で身体の一部を失い、その直後に亡くなった場合でも、葬儀の際、見た目の不具合を解消できる。この装具は、置いてある棺桶の中で使用する、見た目だけの装具であるから、特に固定する必要が無く、所定の場所に置いておくだけで、目的が達成できる。但し、霊柩車で棺桶を火葬場に運んだ後、最後のお別れとして、棺桶の蓋を開ける可能性が有る場合は、火葬用の装具が移動中の振動で動いてしまうのを防止する為、火葬できる素材のテープや紐で、固定しておけば良い。尚、一般論として、棺桶の中の遺体は、浴衣などの着物を着ているので、例えば義足の場合、浴衣の裾から露出しているのは、足の甲の部分だけである。従って、膝から下が欠損している場合でも、全てを作る必要は無く、足の甲とその近傍だけを近似的に作成し、その他の部分は、簡略化、又は省略して作っても目的を達成できる。以上が請求項１に記載の、本発明の実施例である。【０００８】火葬用の装具を作る具体的な方法は、請求項２に記載の通りであるが、その一つの実施例を説明する。請求項１に記載された材料を使用し、標準的な腕や足の形状で、複数のサイズの装具を事前に作って準備しておく。この場合、見た目の近似性がポイントであり、強度などは無関係であるから、加工し易い材料を使用すれば良い。例えば、バルサを使用すれば、軽量で柔らかく、非常に加工し易いので、極めて短時間での製作が可能で、塗装も簡単にできる。また、軽量なので、完成品を宅配便で届ける場合に、運送料金が安くなる利点も有る。そして、注文を受けた際は、最も近いサイズの装具を選定し、最も近い肌の色に塗装すれば完成する。以上が請求項２に記載の本発明の実施例である。【０００９】遺族などから注文を受ける際、正確な情報をもらわないと、故人に近似した装具を作る事ができない。また、遺族が火葬の為だけに使用する装具を発注するのは、一生の内、１回程度しか無い上、発注する時は、悲しみの為、正しい判断ができない可能性が高い。そこで、請求項３に記載の通り、事前に、装具製作に必要な情報を葬儀社に連絡しておき、又はインターネットで公開しておき、いざと言う時に、火葬用の装具製作に必要な情報を確実に収集できる様にする。例えば、所定のゲージと、使用していた装具、又は健常な身体を並べて撮影し、その写真を電子メールなどで送ってもらえれば、サイズや肌の色も判り、請求項２に記載の装具を作る事ができる。また、写真を送ってもらえれば、ホクロの位置や、マニキュアの有無なども判明するので、より近似した火葬用の装具を作る事ができる。以上が請求項３に記載の本発明の実施例である。【００１０】本発明は非常に有益で、新規性が高く、遺体を火葬する事が一般的な日本国内において、非常に需要の高い発明である。しかし、人が亡くなるのは突然の事であり、その際、遺族は気が動転している上、葬式の手配や親類・知人への連絡などに忙殺され、義手や義足の事まで考える余裕が無い。従って、必要な人に確実に火葬用の装具を供給する為の、新たなビジネスが必要である。この新サービス業の内容は、請求項４に記載の通りであるが、その一例を説明する。新たな商売を始める際、インターネットのウェブサイトで業態の説明と、注文方法などを公開し、周知を図る事が一般的に行われる。本サービス業においても、インターネットにて情報公開を行うが、義手や義足を使用している人の家族が、日頃から、このウェブサイトを見るとは限らない。また、亡くなった直後の多忙な時に、検索サイトを使って火葬できる装具を探している暇は無い。そこで、事前に葬儀屋にパンフレットなどを配付し、葬儀社から遺族へ、本サービス業の業態を伝えてもらう方法が非常に有効である。葬儀社であれば、葬儀を行う前に、必ず遺族と打合せを行い、葬儀の規模や費用見積もりなどを行うので、この時に、火葬できる装具を作ってくれる会社が有る事を、遺族に伝えてもらえば確実に注文が取れる。注文は、請求項３に記載された情報を提供してもらい、請求項１及び請求項２に記載の装具を作成する。【００１１】また、このサービス業のポイントは、注文を受けてから注文主に届けるまでの時間が非常に重要となる。即ち、お通夜を行う日の昼間に注文を受けた場合は、その翌日に行われる葬儀に、間に合わせなくてはならない。そこで、請求項２に記載の製造方法の中から、遺族の希望、届け日などを考慮し、最適な製造方法を、注文毎に選択し、翌日配達厳守の宅配便で発送すれば良い。以上が、請求項４に記載の本発明の実施例である。
【産業上の利用可能性】
【００１２】本発明によれば、事故や病気で身体の一部を失った方を棺桶に入れ、葬儀を行う際、欠損した部分を判り難くする事が可能で、葬儀参列者にも、身体の一部が欠損している事を気付かれ難くなる。その結果、遺族の感情を害する事が無くなり、遺族の、無用な精神的負担を軽減できる。また、葬儀終了後は、取り外す必要が無く、そのまま棺桶の蓋をし、火葬できるので、利便性が極めて高い。